(57)【要約】【課題】  本発明の目的は、インクジェット記録時における搬送時と両面印字における逆方向搬送時双方においてプラテン上の記録シートを浮きやたるみのない状態で搬送出来る信頼性の高いインクジェット記録装置を提供することにある。【解決手段】  記録シートを挟持して搬送する搬送ローラ１と、搬送ローラ１の下流に配置され、記録シートを挟持して搬送する排出ローラ１２と、両面記録時に記録シートを反転させる反転手段１６を備えたインクジェット記録装置において、搬送ローラ１の周速に対する排出ローラ１２の周速比はインクジェット記録時の搬送時には等速もしくは増速関係であり、逆方向搬送時には減速関係になるような切り換え手段を設けた。【選択図】        図４
2005194043.tif 000002
【特許請求の範囲】
【請求項１】
記録シートを挟持して搬送する第一の搬送手段と、前記第一の搬送手段の下流に配置され、記録シートを挟持して搬送する第二の搬送手段と、両面記録時に記録シートを反転させる反転手段を備えたインクジェット記録装置において、
インクジェット記録時における正方向搬送時、および前記反転手段に前記記録シートを送り込む逆方向搬送時双方において、前記記録シートはたるみない状態に保持されて搬送されることを特徴とするインクジェット記録装置。
【請求項２】
前記第一の搬送手段にある第一のローラの周速に対する前記第二の搬送手段にある第二のローラの周速比は前記正方向搬送時と前記逆方向搬送時で異なることを特徴とする請求項１に記載のインクジェット記録装置。
【請求項３】
前記第一のローラの周速に対する前記第二のローラの周速比は前記正方向搬送時には等速もしくは増速関係であり、前記逆方向搬送時には減速関係になるような切り換え手段を設けたことを特徴とする請求項２に記載のインクジェット記録装置。
【請求項４】
前記逆方向搬送時において前記第二の搬送手段の駆動への伝達を遮断し、空転させる手段を設けたことを特徴とする請求項１に記載のインクジェット記録装置。
【請求項５】
前記第一の搬送手段の記録シートに対する挟持力は前記第二の搬送手段の記録シートに対する挟持力よりも大きいことを特徴とする請求項１から４いずれか１項に記載のインクジェット記録装置。
【請求項６】
前記第一の搬送手段と前記第二の搬送手段は１つの駆動源により駆動されることを特徴とする請求項１から５いずれか１項に記載のインクジェット記録装置。
【請求項７】
記録シートをプラテンに案内する記録シートガイド部を前記第一の搬送手段と前記第二の搬送手段の間に設けたことを特徴とする請求項１から６いずれか１項に記載のインクジェット記録装置。
【請求項８】
前記記録シートガイド部は可撓性部材で構成されていることを特徴とする請求項７に記載のインクジェット記録装置。
【発明の詳細な説明】
【技術分野】
【０００１】
本発明は、記録手段から記録シートへインクを吐出させて記録を行うインクジェット記録装置に関する。
【背景技術】
【０００２】
現在のプリンタは、積載してある記録シート（例えば用紙）を１枚づつ分離して供給する記録シート供給装置と、分離され送られてきた記録シートを記録領域に送り込む搬送ローラとその従動ローラであるピンチローラにより構成される記録シート搬送部と、記録シートに記録を行う記録ヘッドと、記録シートの、記録ヘッドによる記録領域に対応する部分を少なくとも支持する支持部を有するプラテンと、記録が終了した記録シートを排出する排出ローラとその従動ローラである拍車ローラにより概ね構成されている。
【０００３】
記録シート供給装置により供給された記録シートは、搬送ローラとその従動ローラの間にニップされ、記録領域に対応するプラテン上に搬送ローラにより送られる。そして、記録ヘッドにより記録シートに、設定された１行もしくは数行分の画像記録が行われる。プリンタは、ホストコンピュータ側から送られてきたデータが終了するまで１行もしくは数行分の記録シート搬送と画像記録を順次繰り返した後、記録シートをトレイに排出する。
【０００４】
また、両面印字機能付きのプリンタにおいては記録シートの表面の記録が終了した後に、搬送ローラとその従動ローラ、排紙ローラと拍車ローラの双方に保持された状態で決められた時間乾燥させる。その後、逆方向に記録シートを搬送し、シート反転手段で反転させた後、裏面の印字を表面と同様に行う。
【０００５】
インクジェットプリンタでは、記録画像の品位を保持するためにプラテンの記録シート裏面を支持する面とインクジェット記録ヘッドのインク吐出口面との距離、あるいはプラテンの面上に設けられた複数のリブの表面（記録シートの裏面を支持する面になる。）で形成される仮想の記録シート支持面とインクジェット記録ヘッドのインク吐出口面との距離を均一に保つ必要がある。インクジェットプリンタの中でも、記録画像の高画質化に伴いインク液滴の大きさを小液滴化するという手法を用いているプリンタもある。また、記録ヘッドと記録シートとの距離を狭くするとインク液滴を記録シート表面に精度良く着弾させることが可能になるため、記録ヘッドと記録シートの距離を狭くした方がより高画質な画像を得ることが出来る。特に小液滴のインクによる画像記録では、より一層の着弾の精度を求められることになる。したがって、インクジェットプリンタにおいて、記録シートがプラテンのシート支持部から記録ヘッドの方へ浮き上がることを規制する事は重要である。よって記録シートを搬送する際にはたるみのない状態で搬送することが望ましく、プラテンの上流側に位置する搬送ローラの周速に対して下流側に位置する排出ローラの周速を部品等の公差を考え、最悪等速になるかもしくは増速させる構成がとられている。また、搬送ローラと排紙ローラは同一の駆動源により駆動されることが一般的に知られている。また上流の搬送ローラの挟持力に比べ下流側の排紙ローラの挟持力は弱く設定されているため、常にプラテン上で記録シートをたるまない状態に維持しつつも搬送ローラによる記録シートの搬送量に影響を与えないようになっている。
【０００６】
また、記録領域において、記録シート搬送方向と交差する方向における記録シート片端あるいは記録シート両端がプラテンのシート支持部から浮き上がると、浮き上がった記録シートの記録面が記録ヘッドと接触して、記録面の画像が汚れてしまう。また、記録シート搬送方向と交差する方向に記録ヘッドを移動するいわゆるシリアルプリンタの場合は、浮き上がった記録シート端部が、記録シート搬送方向と交差する方向に往復移動している記録ヘッドの側面に衝突して破れることがある。このような理由で、搬送方向と交差する方向における記録シート端部が記録ヘッドの方へ浮き上がることを規制する為に記録シート端部押さえが設けられている。
【０００７】
記録シート端部押さえは、記録シート搬送方向と交差する方向における記録シート片端のみだけでなく、同じ方向における記録シート両端に対応する位置にてプラテン上に設けられている構成もある。
【０００８】
また、特許文献１に開示されているのは記録シートの搬送方向に伸びるリブの間でかつ記録領域より上流側に複数の案内部が配置され、記録シートをプラテン側、リブの間に押し付ける構成も記録シートの浮きをおさえる有効な方法として知られている。
【０００９】
また、特許文献２に開示されているように、記録シート押さえまで記録シートを案内する搬送シートガイド部を設け、記録シートの浮きを押さえる構成も有効な手段として知られている。これらの記録シート案内部は可撓性部材等で構成されることが知られている。
【特許文献１】特開平１１―１３８９２３号公報
【特許文献２】特開２００２−２４９２６０号公報
【発明の開示】
【発明が解決しようとする課題】
【００１０】
両面印字等で記録シートを記録時の搬送方向と逆方向に搬送する場合、搬送ローラに対する排出ローラの周速の関係が最悪等速になるかもしくは増速に設定されている。そのため記録シートがたるみながら搬送される場合がでてくる。その結果、記録シートが記録ヘッドに接触して汚損したり、記録シート端部押さえや記録シートガイド部に引っかかって記録シート表面に傷がついたり、搬送不良になる原因にもなる。
【００１１】
また、記録シートの搬送方向先端が記録シート押さえの下側に進入せず、記録シート押さえに突き当たることで搬送不良が起きたり、記録シートが突き当たったためにプラテンのシート支持部より浮き上がって記録ヘッドに接触することで記録ヘッドに損傷を与えるような搬送不良が起きたりする恐れがある。
【００１２】
そこで本発明の目的は、上記の従来技術の問題点に鑑み、インクジェット記録時における搬送時と両面印字における逆方向搬送時双方においてプラテン上の記録シートを浮きやたるみのない状態で搬送出来る信頼性の高いインクジェット記録装置を提供することにある。
【課題を解決するための手段】
【００１３】
上記目的を達成するために本発明は、以下の（１）から（８）を特徴とするインクジェットプリンタを提供するものである。
【００１４】
（１）記録シートを挟持して搬送する第一の搬送手段と、前記第一の搬送手段の下流に配置され、記録シートを挟持して搬送する第二の搬送手段と、両面記録時に記録シートを反転させる反転手段を備えたインクジェット記録装置において、
インクジェット記録時における正方向搬送時、および前記反転手段に前記記録シートを送り込む逆方向搬送時双方において、前記記録シートはたるみない状態に保持されて搬送されることを特徴とする。
【００１５】
（２）前記第一の搬送手段にある第一のローラの周速に対する前記第二の搬送手段にある第二のローラの周速比は前記正方向搬送時と前記逆方向搬送時で異なることを特徴とする。
【００１６】
（３）前記第一のローラの周速に対する前記第二のローラの周速比は前記正方向搬送時には等速もしくは増速関係であり、前記逆方向搬送時には減速関係になるような切り換え手段を設けたことを特徴とする。
【００１７】
（４）前記逆方向搬送時において前記第二の搬送手段の駆動への伝達を遮断し、空転させる手段を設けたことを特徴とする。
【００１８】
（５）前記第一の搬送手段の記録シートに対する挟持力は前記第二の搬送手段の記録シートに対する挟持力よりも大きいことを特徴とする。
【００１９】
（６）前記第一の搬送手段と前記第二の搬送手段は１つの駆動源により駆動されることを特徴とする。
【００２０】
（７）記録シートをプラテンに案内する記録シートガイド部を前記第一の搬送手段と前記第二の搬送手段の間に設けたことを特徴とする。
【００２１】
（８）前記記録シートガイド部は可撓性部材で構成されていることを特徴とする。
【００２２】
なお、上述の構成に基づいて以下の作用を呈する。
【００２３】
記録シートはインクジェット記録を行う正方向搬送時と両面印字における反転手段への逆方向搬送時の双方において、たるみのない状態に保持されるので、インクジェットヘッドとの距離が一定になり、インクジェットヘッドや記録シートガイド部への引っかかりのない安定したシート搬送が可能になる。
【発明の効果】
【００２４】
本発明によれば、記録シートはインクジェット記録を行う正方向搬送時と両面印字における反転手段への逆方向搬送時の双方において、たるみのない状態に保持され、インクジェットヘッドとの距離を一定に保つことが可能なため、インクジェットヘッドや記録シートガイド部等への引っかかりのない安定したシート搬送が可能な信頼性の高いインクジェット記録装置を提供できる。
【発明を実施するための最良の形態】
【００２５】
以下本発明を実施するための最良の形態を、実施例により詳しく説明する。
【実施例】
【００２６】
以下、本発明の実施の形態について図面を参照して説明する。
【００２７】
まず、本発明を適用可能なインクジェット記録装置の概略について述べる。
【００２８】
図１は本発明のインクジェット記録装置の模式的斜視図、図２は図１の記録シート搬送方向Ａに沿った模式的断面図である。また図９は本発明にて適用可能な記録シートおさえの概略を表す斜視図である。
【００２９】
図１および図２において、通常インクジェット記録時において被記録媒体である記録シートＳは、搬送ローラ１とこれに従動するピンチローラ２との間に挟まれ、搬送ローラ１の回転により、プラテン３上に案内、支持されながら図中矢印Ａ方向に搬送される。このとき、プラテン３は、インクジェットヘッド４のインク吐出面とこれに対向する記録シートＳの表面との距離を一定乃至所定の距離に維持するように記録シートＳの裏面を支持する。プラテン３上に搬送された記録シートＳはその後記録シートＳは回転する排出ローラ１２とこれに従動する回転体である拍車１３との間に挟まれ、搬送される。この時搬送ローラ１と排出ローラ１２の周速の比（すなわち理想上の搬送速度の比）は搬送ローラ１に対して排出ローラを若干増速させている。さらに、搬送ローラ１とピンチローラ２との間の挟持力に対して排出ローラ１２と拍車１３との間の挟持力を約１０〜２０分の一に設定することにより記録シートＳは図中矢印Ａ方向に、排出ローラ１２に対して相対的にすべりながら搬送されていくことになり、画像記録時において記録シートＳはたるみなく搬送されることになる。画像記録が実施された後、排出ローラ１２の回転によりプラテン３上から排出される。
【００３０】
また、搬送方向Ａと交差する方向における記録シートＳの端部がインクジェットヘッド４の方に浮き上がることを規制する為にプラテン３上に記録シート押さえ１４が設けられている。複数のピンチローラ２はピンチローラホルダ１５に回転自由に保持されている。
【００３１】
インクジェットヘッド４は記録シートＳに向かってインクを吐出する姿勢で、不図示のモータ等の駆動手段により２本のガイドレール５，６に沿って往復移動されるキャリッジ７に着脱可能に搭載されている。このキャリッジ移動方向は記録シート搬送方向（矢印Ａ方向）と交差する方向であり、主走査方向と呼ばれる。これに対し、記録シート搬送方向は副走査方向と呼ばれている。
【００３２】
インクジェットヘッド４は、特にインクジェット記録方式の中でも、インク吐出のために利用されるエネルギーとして熱エネルギーを発生する手段（例えば発熱抵抗素子）を備え、その熱エネルギーによりインクの状態変化（膜沸騰）を生起させる方式を用いることにより記録の高密度化、高精細化を達成している。なお、このような熱エネルギーによる方式に限らず、振動エネルギーを利用してもよい。
【００３３】
インクジェットヘッド４にはそれぞれ異なる色のインクを吐出するための複数のノズル列が設けられている。インクジェットヘッド４から吐出されるインクの色に対応して、複数の独立したインクタンク８が、タンク装着ユニット９に着脱交換可能に装着される。タンク装着ユニット９とインクジェットヘッド４とは、それぞれインクの色に対応した複数の液体供給チューブ１０によって接続され、各インクタンク８をタンク装着ユニット９に装着することで、各インクタンク８内に収納された色のインクを、各インク色に対応するインクジェットヘッド４の各ノズル列に独立して供給することが可能となる。
【００３４】
さらに、インクジェットヘッド４の往復移動範囲内で、かつ、記録シートＳ搬送時の通過範囲外の領域である非記録領域には、回復ユニット１１が、インクジェットヘッド４のインク吐出面と対面するように配置されている。回復ユニット１１は、インクジェットヘッド４のインク吐出面をキャッピングするためのキャップ部、インク吐出口面をキャッピングした状態でインクジェットヘッド４から強制的にインクを吸引するための吸引機構、インク吐出面の汚れを払拭するためのクリーニングブレード等を有する。
【００３５】
また、両面印字を行う際、記録シートＳはおもて面の画像記録終了後、一定時間搬送ローラ１とピンチローラ２との間と排出ローラ１２と拍車１３との間に挟まれて乾燥される。この乾燥時間は記録シートに印字されたインクの量によって変更することが望ましい。その後、記録シートはうら面を印字するために反転手段１６に向かい図中矢印Ａ方向と逆の方向である図中矢印Ｂ方向に搬送される。不図示のモータにより回転する反転ローラ１７とその従動ローラである第一の反転コロ１８との間にニップされた記録シートＳは図中矢印Ｃ方向に反転し、第二の反転コロ１９と反転ローラ１７の間にニップされ、矢印Ｄ方向に搬送される。その後、搬送ローラ１とこれに従動するピンチローラ２との間に挟まれて再度裏面の記録が行われる。ここで反転ローラ１７の周速は搬送ローラ１の周速より若干増速されていることが望ましく、かつ反転ローラ１７と反転コロ１８の挟持力は搬送ローラ１とピンチローラ２の挟持力の約１／５程度に設定されているため、記録シートＳが搬送ローラ１とピンチローラ２と反転ローラ１７と反転コロ１８の双方にニップされている間は反転ローラ１７に対してすべりながら搬送されていることになる。記録シートＳが反転し、記録シートＳの後端部が反転ローラ１７と第一の反転コロとのニップを抜け、反転ローラ１７と第二の反転コロ１９にニップされた状態で、搬送ローラ１とピンチローラ２にニップされてプラテン３上にて記録が行われる。この場合、記録シートＳに対して反転ローラ１７は搬送ローラ１に対して相対的に若干増速しているため、搬送負荷が軽減され、搬送精度が悪くなることはない。
【００３６】
また、図９に示すように、プラテン３の上流側の非記録領域に位置し、プラテンリブ３−ａの間に配置された記録シートガイド３２により記録シートＳをプラテン３に押し付けて紙浮きを抑えるプリンタについても本発明は適用可能である。ここで１２は排出ローラ、１３は拍車である。記録シートガイド３２は可撓性部材が好適に採用される。
【００３７】
ここでは、記録シート搬送方向と交差する方向に記録ヘッドを往復移動させるいわゆるシリアル型のインクジェットプリンタを例に挙げて説明したが、ノズル列が記録シートの幅方向全幅にわたって設けられたライン型のインクジェットヘッドを搭載するプリンタにも、本発明は適用可能である。
【００３８】
次に、本発明の実施の形態例を以下に挙げる。
【００３９】
（第１の実施の形態）
図３は本発明の第１の実施形態を示す概略図、図４、５は本実施形態の切り替え手段を示す矢視Ｅ方向から見た概略側面図であり、これらの図は図１および図２または図９に示したプリンタに適用可能な具体例を示している。
【００４０】
モータ２０により回転するモータギア２１は搬送ローラ１に固定され回転する搬送ローラギア２３に駆動を伝えている。遊星ベース２５は搬送ローラ１の軸を中心に回動可能に取り付けられており、遊星歯車２２は搬送ローラギア２３とかみ合いながら遊星ベース２５上の軸２８を中心に回転する。同じく遊星歯車２４に関しても搬送ローラギア２３とかみ合いながら、遊星ベース２５上の軸２９を中心に回転する。この機構は一般的に知られている遊星歯車機構であり、ここでは説明を省く。２６は排出ローラギアであり、排出ローラに固定され回転する。また、２７は排出ローラギア２６と一体に回転するバックフィードギアであり、ここで排出ローラギア２６とバックフィードギアの歯数は排出ローラギア２６の方が数歯多く構成されている。
【００４１】
ここで通常の記録を行う場合の動作を説明する。この場合、図中矢印Ａ方向に記録シートＳは搬送される。モータギア２１は図４に示すように半時計方向に回転し、搬送ローラギア２３と搬送ローラ１は図中時計回り方向に回転し、その従動ローラであるピンチローラ２との間に挟持されて記録シートＳをＡ方向に搬送する。また、遊星ベース２５は時計周りに回動し、遊星歯車２２は排出ローラギア２６にかみ合い排出ローラ１２を図中時計回りに回転させるため、排出ローラ１２とその従動ローラである拍車１３に挟持されて記録シートＳをＡ方向に搬送する。この時搬送ローラ１と排出ローラ１２の周速の比（すなわち理想上の搬送速度の比）は搬送ローラ１に対して排出ローラを若干増速させる構成となっている。また、搬送ローラ１とピンチローラ２との間の挟持力に対して排出ローラ１２と拍車１３との間の挟持力を約１０〜２０分の一に設定することにより記録シートＳは図中矢印Ａ方向に、排出ローラ１２に対して相対的にすべりながら搬送されていくことになり、画像記録時において記録シートＳはたるみなく搬送されることになる。
【００４２】
次に両面記録時における動作の説明をする。この場合、記録シートＳはおもて面の画像記録終了後、一定時間搬送ローラ１とピンチローラ２との間と排出ローラ１２と拍車１３との間に挟まれて乾燥される。その後、反転手段１６に向かい、図中矢印Ｂ方向に記録シートＳは搬送される。モータギア２１は図５に示すように時計方向に回転し、搬送ローラギア２３と搬送ローラ１は図中反時計回り方向に回転し、その従動ローラであるピンチローラ２との間に挟持された記録シートＳはＢ方向に搬送される。また、遊星ベース２５は反時計回りに回動し、遊星歯車２４はバックフィードギア２７にかみ合い、排出ローラ１２を図中反時計回りに回転させるため、排出ローラ１２とその従動ローラである拍車１３に挟持されて記録シートＳをＡ方向に搬送する。この時、ギア部ｂはギア部ａに比べて数歯少なく、搬送ローラ１と排出ローラ１２との周速の比を今度は搬送ローラ側が若干増速になるように構成されているため、図中Ｂ方向に搬送する場合においても記録シートＳはたるみなく搬送されることになる。
【００４３】
以上のように記録シートＳはインクジェット記録を行う図中Ａ方向搬送時と両面印字における反転手段へのＢ方向搬送時の双方において、たるみのない状態に保持され、搬送される。
【００４４】
（第２の実施の形態）
次に、本発明の第２の実施形態について説明する。図６は第２の実施形態を示す概略図、図７、８は本実施形態の切り替え手段を示す矢視Ｆ方向から見た概略側面図であり、これらの図は図１および図２、図９に示したプリンタに適用可能な具体例を示している。ただし、第一の実施形態とは異なる構成のみを説明する。
【００４５】
遊星ベース３０は搬送ローラ１の軸を中心に回動可能に取り付けられており、遊星歯車２２は搬送ローラギア２３とかみ合いながら遊星ベース２７上の軸２８を中心に回転する。２６は排出ローラギアであり、排出ローラに固定され回転する。
【００４６】
通常の記録を行う場合の動作を説明する。この場合、図中矢印Ａ方向に記録シートＳは搬送される。モータギア２１は図７に示すように半時計方向に回転し、搬送ローラギア２３と搬送ローラ１は図中時計回り方向に回転し、その従動ローラであるピンチローラ２との間に挟持されて記録シートＳをＡ方向に搬送する。また、遊星ベース３０は時計周りに回動し、遊星歯車２２は排出ローラギア２６にかみ合い排出ローラ１２を図中時計回りに回転させるため、排出ローラ１２とその従動ローラである拍車１３に挟持されて記録シートＳをＡ方向に搬送する。
【００４７】
次に両面記録時における動作の説明をする。モータギア２１は図８に示すように時計方向に回転し、搬送ローラギア２３と搬送ローラ１は図中反時計回り方向に回転し、その従動ローラであるピンチローラ２との間に挟持された記録シートＳはＢ方向に搬送される。また、遊星ベース３０は反時計回りに回動し、遊星ベースストッパ３１につきあたり、遊星歯車２２は排出ローラ１２に駆動を伝達することなく回転する。この時、拍車１３と排出ローラ１２は記録シートＳを挟持した状態で図中Ｂ方向に搬送ローラ１の搬送力で引っ張られることになり、空転する。記録シートＳは拍車１３と排出ローラ１２空転によるバックテンションで引っ張られつつＢ方向に搬送されため、たるみなく搬送される。
【００４８】
以上のように記録シートＳはインクジェット記録を行う図中Ａ方向搬送時と両面印字における反転手段へのＢ方向搬送時の双方において、たるみのない状態に保持され、搬送される。
【図面の簡単な説明】
【００４９】
【図１】本発明のインクジェット記録装置の模式的斜視図
【図２】図１の記録シート搬送方向Ａに沿った模式的断面図
【図３】本発明の第１の実施形態を示す概略図
【図４】第１の実施形態の切り替え手段を示す矢視Ｅ方向から見た概略側面図
【図５】第１の実施形態の切り替え手段を示す矢視Ｅ方向から見た概略側面図
【図６】本発明の第２の実施形態を示す概略図
【図７】第２の実施形態の切り替え手段を示す矢視Ｆ方向から見た概略側面図
【図８】第２の実施形態の切り替え手段を示す矢視Ｆ方向から見た概略側面図
【図９】本発明にて適用可能な記録シートおさえの概略を表す斜視図
【符号の説明】
【００５０】
１    搬送ローラ
２    ピンチローラ
３    プラテン
４    インクジェットヘッド
５    ガイドレール
６    ガイドレール
７    キャリッジ
８    インクタンク
９    タンク装着ユニット
１０  液体供給チューブ
１１  回復ユニット
１２  排出ローラ
１３  拍車
１４  記録シート押さえ
１５  ピンチローラホルダ
１６  反転手段
１７  反転ローラ
１８  第一の反転コロ
１９  第二の反転コロ
２０  モータ
２１  モータギア
２２  遊星ギア
２３  搬送ローラギア
２４  遊星ギア
２５  遊星ベース
２６  排出ローラギア
２７  バックフィードギア
２８  軸
２９  軸
３０  遊星ベース
３１  遊星ベースストッパ
３２  記録シートガイド
【図１】
2005194043.tif 000003
【図２】
2005194043.tif 000004
【図３】
2005194043.tif 000005
【図４】
2005194043.tif 000006
【図５】
2005194043.tif 000007
【図６】
2005194043.tif 000008
【図７】
2005194043.tif 000009
【図８】
2005194043.tif 000010
【図９】
2005194043.tif 000011